(57)【特許請求の範囲】
【請求項１】
ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置であって、
前記情報処理装置は、前記距離情報が閾値以上であると判定された場合に、前記ユーザーの操作可能な操作手段を、前記マウスから前記リモートコントローラーに切り替えることを特徴とする情報処理装置。
【請求項２】
前記情報処理装置は、所定時間間隔で、前記ユーザーの位置を検出し、前記距離情報が閾値未満となった場合に、前記ユーザーの操作可能な操作手段を、前記リモートコントローラーから、前記マウスに、切り替えることを特徴とする請求項１に記載の情報処理装置。
【請求項３】
センサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置であって、
前記情報処理装置は、
前記センサーを介して、前記ユーザーの位置を検出するユーザー位置検出手段と、
前記ユーザー位置検出手段によって検出されたユーザーの位置を示す情報から、前記距離情報を検出する距離検出手段と、
前記距離検出手段が検出した前記距離情報が閾値以上であるかを判定する第１の判定手段と、
前記第１の判定手段によって、前記距離情報が閾値以上であると判定された場合に、前記ユーザーの操作可能な操作手段を、前記マウスから前記リモートコントローラーに切り替える、第１の切替手段とを有することを特徴とする情報処理装置。
【請求項４】
前記情報処理装置は、
前記第１の切替手段が、操作手段を切り替えた後に、
所定時間間隔で、前記センサーを介して、前記ユーザーの位置を検出するユーザー位置再検出手段と、
前記ユーザー位置再検出手段が検出した、前記ユーザーの位置を示す情報から、前記センサーと前記ユーザーとの間の距離を示す新たな距離情報を検出する距離再検出手段と、
前記距離再検出手段が、前記新たな距離情報が閾値未満であるかを判定する第２の判定手段と、
前記第２の判定手段が、前記新たな距離情報が閾値未満であると判定した場合に、前記ユーザーの操作可能な操作手段を、前記リモートコントローラーから、前記マウスに切り替える第２の切替手段とをさらに有することを特徴とする請求項３に記載の情報処理装置。
【請求項５】
ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御プログラムであって、
前記操作手段制御プログラムは、前記距離情報が閾値以上であると判定された場合に、前記ユーザーの操作可能な操作手段を、前記マウスから前記リモートコントローラーに切り替えさせることを特徴とする操作手段制御プログラム。
【請求項６】
前記操作手段制御プログラムは、所定時間間隔で、前記ユーザーの位置を検出させ、前記距離情報が閾値未満となった場合に、前記ユーザーの操作可能な操作手段を、前記リモートコントローラーから、前記マウスに、切り替えさせることを特徴とする請求項５に記載の操作手段制御プログラム。
【請求項７】
センサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御プログラムであって、
前記操作手段制御プログラムは、
前記センサーを介して、前記ユーザーの位置を検出させるユーザー位置検出ステップと、
前記ユーザー位置検出ステップで検出されたユーザーの位置を示す情報から、前記距離情報を検出させる距離検出ステップと、
前記距離検出ステップで検出された前記距離情報が閾値以上であるかを判定させる第１の判定ステップと、
前記第１の判定ステップで、前記距離情報が閾値以上であると判定された場合に、前記ユーザーの操作可能な操作手段を、前記マウスから前記リモートコントローラーに切り替えさせる第１の切替ステップとを有することを特徴とする操作手段制御プログラム。
【請求項８】
前記操作手段制御プログラムは、
前記第１の切替ステップで、操作手段を切り替えさせた後に、
所定時間間隔で、前記センサーを介して、前記ユーザーの位置を検出させるユーザー位置再検出ステップと、
前記ユーザー位置検出ステップで検出された、前記ユーザーの位置を示す情報から、前記センサーと前記ユーザーとの間の距離を示す新たな距離情報を検出させる距離再検出ステップと、
前記距離再検出ステップで、前記新たな距離情報が閾値未満であるかを判定させる第２の判定ステップと、
前記第２の判定ステップで、前記新たな距離情報が閾値未満であると判定された場合に、前記ユーザーの操作可能な操作手段を、前記リモートコントローラーから、前記マウスに切り替させる第２の切替ステップとをさらに有することを特徴とする請求項７に記載の操作手段制御プログラム。
【請求項９】
ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御方法であって、
前記操作手段制御方法は、前記距離情報が閾値以上であると判定された場合に、前記ユーザーの操作可能な操作手段を、前記マウスから前記リモートコントローラーに切り替えさせることを特徴とする操作手段制御方法。
【請求項１０】
前記操作手段制御方法は、所定時間間隔で、前記ユーザーの位置を検出させ、前記距離情報が閾値未満となった場合に、前記ユーザーの操作可能な操作手段を、前記リモートコントローラーから、前記マウスに、切り替えさせることを特徴とする請求項９に記載の操作手段制御方法。
【請求項１１】
センサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御方法であって、
前記操作手段制御方法は、
前記センサーを介して、前記ユーザーの位置を検出させるユーザー位置検出ステップと、
前記ユーザー位置検出ステップで検出されたユーザーの位置を示す情報から、前記距離情報を検出させる距離検出ステップと、
前記距離検出ステップで検出された前記距離情報が閾値以上であるかを判定させる第１の判定ステップと、
前記第１の判定ステップで、前記距離情報が閾値以上であると判定された場合に、前記ユーザーの操作可能な操作手段を、前記マウスから前記リモートコントローラーに切り替えさせる第１の切替ステップとを有することを特徴とする操作手段制御方法。
【請求項１２】
前記操作手段制御方法は、
前記第１の切替ステップで、操作手段を切り替えさせた後に、
所定時間間隔で、前記センサーを介して、前記ユーザーの位置を検出させるユーザー位置再検出ステップと、
前記ユーザー位置再検出ステップで検出された、前記ユーザーの位置を示す情報から、前記センサーと前記ユーザーとの間の距離を示す新たな距離情報を検出させる距離再検出ステップと、
前記距離再検出ステップで、前記新たな距離情報が閾値未満であるかを判定させる第２の判定ステップと、
前記第２の判定ステップで、前記新たな距離情報が閾値未満であると判定された場合に、前記ユーザーの操作可能な操作手段を、前記リモートコントローラーから、前記マウスに切り替させる第２の切替ステップとをさらに有することを特徴とする請求項１１に記載の操作手段制御方法。
【発明の詳細な説明】
【技術分野】
【０００１】
本発明は、パーソナルコンピュータ等の情報処理装置の、マウスやリモコン等の操作手段の自動切り替え方法に関する。
【背景技術】
【０００２】
近年のパーソナルコンピュータ等の情報処理装置は、ユーザーが、テレビ番組やＤＶＤ（Ｄｉｇｉｔａｌ  Ｖｅｒｓａｔｉｌｅ  Ｄｉｓｃ）等の視聴をすることができる機能を有しているものが多い。
【０００３】
一般的に、テレビ番組やＤＶＤ視聴機能を有する情報処理装置のユーザーは、テレビ番組やＤＶＤの視聴をする際には、情報処理装置のディスプレイから離れて操作することが多い。
【０００４】
一方で、電子メールの送受信、文書作成、ネットサーフィン等で情報処理装置の操作をする際には、ユーザーは、当該情報処理装置の近くで操作する。
【０００５】
このように、ユーザーが、テレビ番組やＤＶＤを視聴するときと、電子メールの送受信や文書作成、ネットサーフィン等を行うときとで、ユーザーと情報処理装置との間の距離は異なる。
【０００６】
そこで、ディスプレイ画面の表示を、ユーザーに見やすくするために、キーボード又はリモコンと、ディスプレイモニタとの間の距離が離れるほど、ディスプレイモニタの表示領域のサイズを大きくするものがある。
【０００７】
なお、特許文献１には、キーボード又はリモコンと、ディスプレイモニタとの間の距離を検出する距離センサーによって、距離が大きくなるほど、ディスプレイモニタの表示領域のサイズを大きくする情報処理装置について開示されている。
【０００８】
【特許文献１】特開２００５−３０９９３０号公報
【発明の開示】
【発明が解決しようとする課題】
【０００９】
ところで、ユーザーは、遠距離から情報処理装置を操作する場合には、リモコンを使用し、近距離から情報処理装置を操作する場合には、キーボードやマウスを使用することが多い。
【００１０】
また、上述のように、複数の異なる操作手段が存在する場合に、同時に複数の操作手段によって操作可能な状態になると、例えばユーザーがマウスの操作をしている時に、別のユーザーが誤ってリモコンのボタンを操作してしまった場合のように、ユーザーの意図しない処理が実行されるおそれがある。
【００１１】
このため、ユーザーは、ユーザーが情報処理装置を操作する位置によって、使用する操作手段を切り替えなければならないが、ユーザーにとって、操作手段を切り替える作業は煩わしいものである。
【００１２】
そこで、本発明は、ユーザーの位置に応じて、操作手段を自動的に切り替えることができる情報処理装置を提供することを目的とする。
【課題を解決するための手段】
【００１３】
本発明の第１の情報処理装置は、ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置であって、前記情報処理装置は、前記距離情報が閾値以上であると判定された場合に、前記ユーザーの操作可能な操作手段を、前記マウスから前記リモートコントローラーに切り替えることを特徴とする。
【００１４】
本発明の第２の情報処理装置は、ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置であって、前記情報処理装置は、前記距離情報が閾値以上であると判定された場合に、前記ユーザーの操作可能な操作手段を、前記マウスから前記リモートコントローラーに切り替え、操作手段を切り替えた後に、前記センサーが、所定時間間隔で、前記ユーザーの位置を検出し、前記距離情報が閾値未満となった場合に、前記ユーザーの操作可能な操作手段を、前記リモートコントローラーから、前記マウスに、切り替えることを特徴とする。
【００１５】
本発明の第３の情報処理装置は、センサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置であって、前記情報処理装置は、前記センサーを介して、前記ユーザーの位置を検出するユーザー位置検出手段と、前記ユーザー位置検出手段によって検出されたユーザーの位置を示す情報から、前記距離情報を検出する距離検出手段と、前記距離検出手段が検出した前記距離情報が閾値以上であるかを判定する第１の判定手段と、前記第１の判定手段によって、前記距離情報が閾値以上であると判定された場合に、前記ユーザーの操作可能な操作手段を、前記マウスから前記リモートコントローラーに切り替える、第１の切替手段とを有することを特徴とする。
【００１６】
本発明の第４の情報処理装置は、操作手段を切り替えた後に、所定時間間隔で、ユーザーの位置を検出するユーザー位置再検出手段と、前記ユーザー位置再検出手段が検出した前記ユーザーの位置を示す情報から、センサーと前記ユーザーとの間の距離を示す新たな距離情報を検出する距離再検出手段と、前記距離再検出手段が、前記新たな距離情報が閾値未満であるかを判定する第２の判定手段と、前記第２の判定手段が、前記新たな距離情報が閾値未満であると判定した場合に、前記ユーザーの操作可能な操作手段を、前記リモートコントローラーから、前記マウスに切り替える第２の切替手段とをさらに有することを特徴とする。
【００１７】
本発明の第１の操作手段制御プログラムは、ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御プログラムであって、前記操作手段制御プログラムは、前記距離情報が閾値以上であると判定された場合に、前記ユーザーの操作可能な操作手段を、前記マウスから前記リモートコントローラーに切り替えさせることを特徴とする。
【００１８】
本発明の第２の操作手段制御プログラムは、ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御プログラムであって、前記操作手段制御プログラムは、前記距離情報が閾値以上であると判定された場合に、前記ユーザーの操作可能な操作手段を、前記マウスから前記リモートコントローラーに切り替えさせ、所定時間間隔で、前記ユーザーの位置を検出させ、前記距離情報が閾値未満となった場合に、前記ユーザーの操作可能な操作手段を、前記リモートコントローラーから、前記マウスに、切り替えさせることを特徴とする。
【００１９】
本発明の第３の操作手段制御プログラムは、センサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御プログラムであって、前記操作手段制御プログラムは、前記センサーを介して、前記ユーザーの位置を検出させるユーザー位置検出ステップと、前記ユーザー位置検出ステップで検出されたユーザーの位置を示す情報から、前記距離情報を検出させる距離検出ステップと、前記距離検出ステップで検出された前記距離情報が閾値以上であるかを判定させる第１の判定ステップと、前記第１の判定ステップで、前記距離情報が閾値以上であると判定された場合に、前記ユーザーの操作可能な操作手段を、前記マウスから前記リモートコントローラーに切り替えさせる第１の切替ステップとを有することを特徴とする。
【００２０】
本発明の第４の操作手段制御プログラムは、第１の切替ステップで、操作手段を切り替えさせた後に、所定時間間隔で、ユーザーの位置を検出させるユーザー位置再検出ステップと、前記ユーザー位置検出ステップで検出された、前記ユーザーの位置を示す情報から、前記センサーと前記ユーザーとの間の距離を示す新たな距離情報を検出させる距離再検出ステップと、前記距離再検出ステップで、前記新たな距離情報が閾値未満であるかを判定させる第２の判定ステップと、前記第２の判定ステップで、前記新たな距離情報が閾値未満であると判定された場合に、前記ユーザーの操作可能な操作手段を、前記リモートコントローラーから、前記マウスに切り替させる第２の切替ステップとをさらに有することを特徴とする。
【００２１】
本発明のリモートコントローラー制御方法は、ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御方法であって、前記操作手段制御方法は、前記距離情報が閾値以上であると判定された場合に、前記ユーザーの操作可能な操作手段を、前記マウスから前記リモートコントローラーに切り替えさせることを特徴とする。
【００２２】
本発明のマウス制御方法は、ユーザーの位置を検出するセンサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御方法であって、前記操作手段制御方法は、前記距離情報が閾値以上であると判定された場合に、前記ユーザーの操作可能な操作手段を、前記マウスから前記リモートコントローラーに切り替えさせ、所定時間間隔で、前記ユーザーの位置を検出させ、前記距離情報が閾値未満となった場合に、前記ユーザーの操作可能な操作手段を、前記リモートコントローラーから、前記マウスに、切り替えさせることを特徴とする。
【００２３】
本発明の第３の操作手段制御方法は、センサーと、前記センサーと前記ユーザーとの間の距離を示す距離情報が閾値以上の場合に操作可能となるリモートコントローラーと、前記距離情報が閾値未満の場合に操作可能となるマウスとを有する情報処理装置の操作手段制御方法であって、前記操作手段制御方法は、前記センサーを介して、前記ユーザーの位置を検出させるユーザー位置検出ステップと、前記ユーザー位置検出ステップで検出されたユーザーの位置を示す情報から、前記距離情報を検出させる距離検出ステップと、前記距離検出ステップで検出された前記距離情報が閾値以上であるかを判定させる第１の判定ステップと、前記第１の判定ステップで、前記距離情報が閾値以上であると判定された場合に、前記ユーザーの操作可能な操作手段を、前記マウスから前記リモートコントローラーに切り替えさせる第１の切替ステップとを有することを特徴とする。
【００２４】
本発明の第４の操作制御方法は、前記第１の切替ステップで、操作手段を切り替えさせた後に、所定時間間隔で、前記ユーザーの位置を検出させるユーザー位置再検出ステップと、前記ユーザー位置再検出ステップで検出された、前記ユーザーの位置を示す情報から、前記センサーと前記ユーザーとの間の距離を示す新たな距離情報を検出させる距離再検出ステップと、前記距離再検出ステップで、前記新たな距離情報が閾値未満であるかを判定させる第２の判定ステップと、前記第２の判定ステップで、前記新たな距離情報が閾値未満であると判定された場合に、前記ユーザーの操作可能な操作手段を、前記リモートコントローラーから、前記マウスに切り替させる第２の切替ステップとをさらに有することを特徴とする。
【発明の効果】
【００２５】
本発明によれば、ユーザー位置に応じて、操作手段を自動的に切り替えることができる情報処理装置を提供することができる。
【発明を実施するための最良の形態】
【００２６】
以下、図面を参照して本発明を実施するための最良の形態について説明する。図１は、本発明の実施の形態の携帯端末を説明する説明するためのブロック図である。
【００２７】
図１を参照すると、情報処理装置１０は、制御部２０と、記憶部３０と、測距センサー４０と、操作部５０と、操作部６０とを有する。
【００２８】
まず、本実施の形態の情報処理装置１０の概略を説明すると、この情報処理装置は、ユーザーの位置情報を検出する測距センサー４０を有しており、検出された当該位置情報に基づいて、情報処理装置１０が、測拒センサー４０との間の距離が予め設定された閾値以上の場合には、操作モードを切り替えるものである。以下、詳細に説明する
制御部２０は、記録媒体に格納されたプログラムを実行することにより、判定手段２１と、切替手段２２と、タイマー制御手段２３とを、論理的に備える。なお、各手段の動作については後述する。ここで、判定手段２１と、切替手段２２と、機器制御手段２３とは、それぞれ専用のハードウェアで構成されても良い。
【００２９】
測距センサー４０は、レンズを有しており、当該レンズを介して、ユーザーの位置情報を自動検出することができる。なお、測居センサー４０は、情報処理装置１０に内蔵されていても良い。
【００３０】
操作部５０は、ユーザーが、文書作成、メールの送受信、ネットサーフィンといった、情報処理装置１０に近づいて操作するのに適している操作手段である。例えば、パーソナルコンピュータ用のマウスが挙げられる。なお、操作部５０は、情報処理装置１０に接続されていない状態で操作可能な、ワイヤレスマウスであっても良い。
【００３１】
操作部６０は、ユーザーは、テレビ番組やＤＶＤの視聴といった、情報処理装置１０を離れて操作する際の操作手段である。例えば、パーソナルコンピュータ用のリモートコントローラーが挙げられる。
【００３２】
次に、図２を参照して、本実施の形態の動作について説明する。図２は、本実施の形態の動作を説明するためのフローチャートである。
【００３３】
図２を参照すると、情報処理装置１０を起動すると、測距センサー４０が作動する（ステップＳ１）。
【００３４】
ステップＳ１で、測距センサー４０が作動すると、測距センサー４０は、ユーザーを検出し、位置情報を取得する（ステップＳ２）。
【００３５】
ステップＳ２で、ユーザーの位置情報の取得に成功すると、判定手段２１は、操作モードの確認をする（ステップＳ３）。
【００３６】
ここで、操作モードには、２つの操作モードがある。第１の操作モードは、ユーザーが操作部５０を利用して、情報処理装置１０を操作できる近距離モードである。一方、第２の操作モードは、ユーザーが操作部６０を利用して、情報処理装置１０を操作できる遠距離モードである。
【００３７】
なお、本実施の形態では、操作モードは２つであるが、複数であれば２つでなくても良い。
【００３８】
ステップＳ３で、操作モードの確認をした結果、操作モードが近距離モードであった場合、判定手段２１は、ユーザーと測距センサー４０との間の距離を示す情報が、閾値以上かどうか判定する（ステップＳ４ｂ）。
【００３９】
なお、閾値は、予め記憶部３０に記憶されている。ここで、閾値以上であると判定されると、図３に示すように、ユーザーと測距センサー４０との間の距離は大きい（遠距離）と判断される。
【００４０】
また、閾値以上であると判定されると、ユーザーと測距センサー４０との間の距離は小さい（近距離）と判断するようにしても良い。
【００４１】
ステップＳ４ａで、ユーザーと測距センサー４０との間の距離を示す情報が、閾値以上であった場合、切替手段２２は、操作モードを、近距離モードから遠距離モードに切り替える（ステップＳ５ａ）。
【００４２】
操作モードが遠距離モードに切り替えられると、例えば、操作部５０が、別のユーザーに操作されても、情報処理装置１０は、当該操作に対応する処理を実行せず、操作部５０は、事実上ロック状態となる。
【００４３】
なお、ステップＳ４ａで、ユーザーと測距センサー４０との間の距離を示す情報が、閾値以上でなかった場合には、後述するステップＳ６の処理に進む。
【００４４】
ステップ５ａで、操作モードが切り替えられた場合、タイマー制御手段２３は、所定の時間待機する（ステップＳ６）。
【００４５】
ステップＳ６で、所定の時間待機すると、ステップＳ２の処理に戻る。
【００４６】
ステップＳ２の処理に戻ることにより、所定時間間隔で、測距センサー４０が、ユーザー位置情報を取得して、閾値の判定を繰り返すことになる。
【００４７】
一方、ステップＳ３で、操作モードの確認をした結果、操作モードが遠距離モードであった場合、判定手段２１は、ユーザーと測距センサー４０との間の距離を示す情報が、閾値未満かどうか判定する（ステップＳ４ａ）。
【００４８】
なお、上述のとおり、閾値は、予め記憶部３０に記憶されている。ここで、閾値未満であると判定されると、ユーザーと測距センサー４０との間の距離は小さい（近距離）と判断される。
【００４９】
また、閾値未満であると判定されると、ユーザーと測距センサー４０との間の距離は大きい（遠距離）と判断するようにしても良い。
【００５０】
ステップＳ４ｂで、ユーザーと測距センサー４０との間の距離を示す情報が、閾値未満であった場合、切替手段２２は、操作モードを、近距離モードから遠距離モードに切り替える（ステップＳ５ｂ）。
【００５１】
操作モードが近距離モードに切り替えられると、例えば、別のユーザーが操作部６０を操作しても、情報処理装置１０は、当該操作に対応する処理を実行せず、操作部６０は、事実上ロック状態となる。
【００５２】
なお、ステップＳ４ｂで、ユーザーと、測距センサー４０との間の距離を示す情報が、閾値未満でなかった場合には、ステップＳ６の処理に進む。
【００５３】
ステップＳ５ｂで、操作モードが切り替えられた場合、タイマー制御手段２３は、所定の時間待機する（ステップＳ６）。
【００５４】
ステップＳ６で、所定の時間待機すると、ステップＳ２の処理に戻る。
【００５５】
ステップＳ２の処理に戻ることにより、所定時間間隔で、測距センサー４０が、ユーザー位置情報を取得して、閾値の判定を繰り返すことになる。
【００５６】
なお、ユーザーが、稼動状態にある情報処理装置１０を終了させた場合には、上述の処理を中断して終了する。
【００５７】
ところで、本実施の形態では、閾値は、予め設定されているものとなっているが、ユーザーによって、閾値の変更ができるようにしても良い。
【図面の簡単な説明】
【００５８】
【図１】本発明の実施の形態の情報処理装置を説明するためのブロック図である。
【図２】本発明の実施の形態の情報処理装置の動作を説明するためのフローチャートである。
【図３】本発明の実施の形態の、測距センサー４０とユーザーとの関係を示す図である。
【符号の説明】
【００５９】
１０  情報処理装置
２０  制御部
２１  判定手段
２２  切替手段
２３  タイマー制御手段
３０  記憶部
４０  測距センサー
５０  操作部
６０  操作部
【図１】
0005026318.tif 000002
【図２】
0005026318.tif 000003
【図３】
0005026318.tif 000004